【手続補正書】
【提出日】平成22年11月12日(2010.11.12)
【手続補正１】
【補正対象書類名】明細書
【補正対象項目名】０００６
【補正方法】変更
【補正の内容】
【０００６】
上記目的達成のため、請求項１記載の発明による撮像装置は、撮像素子と、
前記撮像素子により撮像された画像データに基づいて、該画像データの動きベクトルを検出する動きベクトル検出手段と、
前記動きベクトル検出手段により検出された、ある領域の動きベクトルとは異なる動きベクトルを有する領域を特定する特定手段と、
前記特定手段により特定された領域の動きベクトル量が所定量より小さいか否かを判断する判断手段と、
前記判断手段により動きベクトル量が所定量より小さいと判断された場合に、前記撮像素子を用いて自動的に静止画撮影を行う自動撮影制御手段と、
前記自動撮影制御手段が自動的に静止画撮影を行うまでの前記動きベクトル検出手段による動きベクトルを検出している間は、前記自動撮影手段による静止画撮影のシャッタ速度より早いシャッタ速度で撮像を行う撮像制御手段と、
を備えたことを特徴とする。
【手続補正２】
【補正対象書類名】明細書
【補正対象項目名】００２０
【補正方法】削除
【補正の内容】
【手続補正３】
【補正対象書類名】明細書
【補正対象項目名】００２１
【補正方法】変更
【補正の内容】
【００２１】
上記目的達成のため、請求項１５記載の発明によるプログラムは、撮像素子を備えたコンピュータを、
前記撮像素子により撮像された画像データに基づいて、該画像データの動きベクトルを検出する動きベクトル検出手段と、
前記動きベクトル検出手段により検出された、ある領域の動きベクトルとは異なる動きベクトルを有する領域を特定する特定手段と、
前記特定手段により特定された領域の動きベクトル量が所定量より小さいか否かを判断する判断手段と、
前記判断手段により動きベクトル量が所定量より小さいと判断された場合に、前記撮像素子を用いて自動的に静止画撮影を行う自動撮影制御手段と、
前記自動撮影制御手段が自動的に静止画撮影を行うまでの前記動きベクトル検出手段による動きベクトルを検出している間は、前記自動撮影手段による静止画撮影のシャッタ速度より早いシャッタ速度で撮像を行う撮像制御手段と、
として機能させることを特徴とする。
【手続補正４】
【補正対象書類名】特許請求の範囲
【補正対象項目名】全文
【補正方法】変更
【補正の内容】
【特許請求の範囲】
【請求項１】
撮像素子と、
前記撮像素子により撮像された画像データに基づいて、該画像データの動きベクトルを検出する動きベクトル検出手段と、
前記動きベクトル検出手段により検出された、ある領域の動きベクトルとは異なる動きベクトルを有する領域を特定する特定手段と、
前記特定手段により特定された領域の動きベクトル量が所定量より小さいか否かを判断する判断手段と、
前記判断手段により動きベクトル量が所定量より小さいと判断された場合に、前記撮像素子を用いて自動的に静止画撮影を行う自動撮影制御手段と、
前記自動撮影制御手段が自動的に静止画撮影を行うまでの前記動きベクトル検出手段による動きベクトルを検出している間は、前記自動撮影手段による静止画撮影のシャッタ速度より早いシャッタ速度で撮像を行う撮像制御手段と、
を備えたことを特徴とする撮像装置。
【請求項２】
前記特定手段は、
前記動きベクトル検出手段により検出された所定領域の動きベクトルとは異なる動きベクトルを有する領域を特定することを特徴とする請求項１記載の撮像装置。
【請求項３】
前記所定領域は、画角の周囲領域又は任意に指定された領域であることを特徴とする請求項２記載の撮像装置。
【請求項４】
前記特定手段は、
画角の中央領域又は任意に指定された領域の中から該ある領域の動きベクトルとは異なる動きベクトルを有する領域を特定することを特徴とする請求項１乃至３の何れかに記載の撮像装置。
【請求項５】
前記特定手段は、
前記動きベクトル検出手段により検出された、ある領域の動きベクトルの量又は向きとは異なる量又は向きの動きベクトルを有する領域を特定することを特徴とする請求項１乃至４の何れかに記載の撮像装置。
【請求項６】
前記特定手段は、
前記動きベクトル検出手段により検出された、ある領域の動きベクトルの量より小さい量の動きベクトルを有する領域を特定することを特徴とする請求項５記載の撮像装置。
【請求項７】
前記特定手段は、
前記動きベクトル検出手段により検出された、ある領域の動きベクトルの量より所定の比率以上小さい量の動きベクトル、または、所定値より小さい量の動きベクトルを有する領域を特定することを特徴とする請求項６記載の撮像装置。
【請求項８】
前記撮像装置がスイング中であるか否かを判定する判定手段を備え、
前記特定手段は、
前記判定手段によりスイング中であると判定された場合に、前記動きベクトル検出手段により検出された、ある領域の動きベクトルとは異なる動きベクトルを有する領域を特定し、
前記判断手段は、
前記判定手段によりスイング中であると判定された場合に、前記特定手段により特定された領域の動きベクトル量が所定量より小さいか否かを判断することを特徴とする請求項１乃至７の何れかに記載の撮像装置。
【請求項９】
前記判定手段は、
前記動きベクトル検出手段により検出された動きベクトルの量が所定量以上の場合に、
スイング中であると判定することを特徴とする請求項８記載の撮像装置。
【請求項１０】
前記判定手段は、
前記動きベクトル検出手段により同一の動きベクトルが所定数以上検出され、且つ、該所定数以上検出された動きベクトルの量が所定量以上の場合に、スイング中であると判定することを特徴とする請求項９記載の撮像装置。
【請求項１１】
前記判定手段は、
前記動きベクトル検出手段により検出された動きベクトルの方向が、前回検出された動きベクトルの方向と類似性がある場合に、スイング中であると判定することを特徴とする請求項８乃至１０の何れかに記載の撮像装置。
【請求項１２】
加速度センサ又は角加速度センサを備え、
前記判定手段は、
前記加速度センサ又は角加速度センサにより検出された動き量が一定量以上の場合に、スイング中であると判定することを特徴とする請求項８記載の撮像装置。
【請求項１３】
加速度センサ又は角加速度センサを備え、
前記判定手段は、
前記加速度センサ又は角速度センサにより検出された動きの方向が、前回検出された動きの方向と類似性がある場合に、スイング中であると判定することを特徴とする請求項８記載の撮像装置。
【請求項１４】
前記動きベクトル検出手段は、
前記撮像素子により周期的に撮像された画像データに基づいて、各画像データの動きベクトルを検出していくことを特徴とする請求項１乃至１３の何れかに記載の撮像装置。
【請求項１５】
撮像素子を備えたコンピュータを、
前記撮像素子により撮像された画像データに基づいて、該画像データの動きベクトルを検出する動きベクトル検出手段と、
前記動きベクトル検出手段により検出された、ある領域の動きベクトルとは異なる動きベクトルを有する領域を特定する特定手段と、
前記特定手段により特定された領域の動きベクトル量が所定量より小さいか否かを判断する判断手段と、
前記判断手段により動きベクトル量が所定量より小さいと判断された場合に、前記撮像素子を用いて自動的に静止画撮影を行う自動撮影制御手段と、
前記自動撮影制御手段が自動的に静止画撮影を行うまでの前記動きベクトル検出手段による動きベクトルを検出している間は、前記自動撮影手段による静止画撮影のシャッタ速度より早いシャッタ速度で撮像を行う撮像制御手段と、
として機能させることを特徴とするプログラム。